(57)【要約】【課題】  本考案は山留め型枠固定部材、及び山留め型枠固定部材を使用したび型枠組立装置に関し、特に大きな労力を要せず容易にソイル壁に対するコンクリート型枠工事を行うことができる山留め型枠固定部材、及び山留め型枠固定部材を使用した型枠組立装置を提供するものである。【解決手段】  タッピング螺子部２を有する山留め型枠固定部材１を使用し、土砂を押さえるソイル壁に山留め型枠固定部材１を直接取り付け、セパレータ部３を介して他方の型枠パネルを取り付け、セパ止金具によって型枠を固定する。このように構成することにより、容易に型枠工事を行うことができる。【選択図】  図１
0003129496.tif 000002
【実用新案登録請求の範囲】
【請求項１】
側土に沿って設置されたソイル壁に形成された孔に締着するタッピング螺子部と、
コンクリートの打設間隔を設定するセパレータ部と、
セパ止金具を取り付けるセパ止金具取付部と、
を備えることを特徴とする山留め型枠固定部材。
【請求項２】
側土に沿って設置されたソイル壁に形成された孔に圧入する棒材部と、
コンクリートの打設間隔を設定するセパレータ部と、
セパ止金具を取り付けるセパ止金具取付部と、
を備えることを特徴とする山留め型枠固定部材。
【請求項３】
側土に沿って設置されたソイル壁に形成された孔に接着する棒材部と、
コンクリートの打設間隔を設定するセパレータ部と、
セパ止金具を取り付けるセパ止金具取付部と、
を備えることを特徴とする山留め型枠固定部材。
【請求項４】
前記山留め型枠固定部材は、前記ソイル壁の壁面に対して縦横一定間隔に形成された孔に締着、又は圧入、又は接着することを特徴とする請求項１、２、又は３記載の山留め型枠固定部材。
【請求項５】
山留め型枠固定部材は、鉄、又は真鍮、又はプラスチック、又は特殊鋼で構成されていることを特徴とする請求項１、２、３、又は４記載の山留め型枠固定部材。
【請求項６】
山留め型枠固定部材を側土に沿って配設されたソイル壁に一定間隔で取り付ける第１の取付手段と、
前記山留め型枠固定部材のセパレータ部を介装して他方の型枠を取り付ける第２の取付手段と、
セパ止金具をセパ止金具取付部に締着することによって型枠を組み立てる組立手段と、
を有することを特徴とする型枠組立装置。
【請求項７】
前記第１の取付手段は、ソイル壁の壁面に形成された孔に対して前記山留め型枠固定部材を締着、又は圧着、又は接着することであることを特徴とする請求項６記載の発明型枠組立装置。
【考案の詳細な説明】
【技術分野】
【０００１】
本考案は、建築現場においてソイルにコンクリートを打設する際に使用する新規な山留め型枠固定部材、及び山留め型枠固定部材を使用した型枠組立装置に関する。
【考案の背景】
【０００２】
例えば、建物の地階部分や基礎部分の施工、或いは各種の地下構造物の施工に際しては、土留め壁としてコンクリートを打設する。また、特許文献１に示すように、地下構造物の施工に際して、施工スペースを確保するための地盤掘削を行い、掘削した地山の崩落を防ぐため土留め壁をコンクリート打設する。
【０００３】
図６は従来のコンクリート打設のための型枠施工の例を示す図である。側面の土崩れを防ぐ、例えば木製矢板３０がＨ型鋼３１によって設置され、木製矢板３０には矢板止金具３２が取り付けられている。
【０００４】
図７は、この矢板止金具３２の斜視図である。矢板止金具３２には複数の穴が形成され、この穴にタッピング螺子を締着し、矢板止金具３２を木製矢板３０に取り付ける。同図に示す例では８個の穴３２ａ〜３２ｈが形成され、不図示のタッピング螺子によって木製矢板３０に締着される。また、この矢板止金具３２は、木製矢板３０に対して一定の間隔で取り付けられ、矢板止金具３２の筒部３５にセパレータ３３が嵌入する。
【０００５】
すなわち、セパレータ３３の先端には雄螺子が形成され、上記矢板止金具３２の筒部３５の内径に形成された雌螺子に締着され、セパレータ３３が矢板止金具３２に取り付けられる。一方、セパレータ３３の他端にも螺子が形成され、型枠３４に取り付けられる。したがって、木製矢板３０と型枠３４間をセパレータ３３によって一定間隔に保ち、以後コンクリートが打設される。
【０００６】
【特許文献１】特開平８−２６９９８７号公報
【考案の開示】
【考案が解決しようとする課題】
【０００７】
しかしながら、上記従来の型枠工事方法では以下の問題がある。すなわち、一定間隔で矢板止金具３２を木製矢板３０に取り付けなければならず、煩雑な作業を必要とする。例えば、前述のように１つの矢板止金具３２の取り付けに８個のタッピング螺子を締着する場合、例えば縦横３０ｃｍ程度の間隔で木製矢板３０一面に多数の矢板止金具３２を取り付けなければならず、大変な労力を要する。
【０００８】
また、土壁に対してＨ型鋼を使用し、このＨ型鋼に横板を通して矢板止金具を木製矢板に取り付ける場合においても、矢板止金具を多数取り付けた後、それぞれの矢板止金具を横板に溶接しており、大変な労力を要していた。
【０００９】
一方、今日地下構造物を構築する際、周辺地盤の土砂や地下水の崩落、取水等による影響を防止するためソイル壁が使用されている。したがって、このようなソイル壁に対しても山留め型枠固定部材を使用する必要がある。
【００１０】
そこで、本考案は上記課題を解決するため、ソイル壁に対しても大きな労力を要せず、容易に土留めのコンクリート型枠工事を行うことができる山留め型枠固定部材、及び山留め型枠固定部材を使用した型枠組立装置を提供するものである。
【課題を解決するための手段】
【００１１】
上記課題は第１の考案によれば、側土に沿って設置されたソイル壁に形成された孔に締着するタッピング螺子部と、コンクリートの打設間隔を設定するセパレータ部と、セパ止金具を取り付けるセパ止金具取付部とを備える山留め型枠固定部材を提供することによって達成できる。
【００１２】
また、第２の考案によれば、側土に沿って設置されたソイル壁に形成された孔に圧入する棒材部と、コンクリートの打設間隔を設定するセパレータ部と、セパ止金具を取り付けるセパ止金具取付部とを備える山留め型枠固定部材を提供することによって達成できる。
また、第３の考案によれば、側土に沿って設置されたソイル壁に形成された孔に接着する棒材部と、コンクリートの打設間隔を設定するセパレータ部と、セパ止金具を取り付けるセパ止金具取付部とを備える山留め型枠固定部材を提供することによって達成できる。
【００１３】
また、第４の考案によれば、前記山留め型枠固定部材は、前記ソイル壁の壁面に対して縦横一定間隔に形成された孔に締着する請求項１、２、又は３記載の山留め型枠固定部材を提供することによって達成できる。
【００１４】
また、第５の考案によれば、山留め型枠固定部材は、鉄、又は真鍮、又はプラスチック、又は特殊鋼で構成されている請求項１、２、３、又は４記載の山留め型枠固定部材を提供することによって達成できる。
【００１５】
さらに、第６の考案によれば、山留め型枠固定部材を側土に沿って配設されたソイル壁に一定間隔で取り付ける第１の取付手段と、前記山留め型枠固定部材のセパレータ部を介装して他方の型枠を取り付ける第２の取付手段と、セパ止金具をセパ止金具取付部に締着することによって型枠を組み立てる組立手段とを有する型枠組立装置を提供することによって達成できる。
【考案の効果】
【００１６】
以上のように、本考案によればソイル壁に対して山留め型枠固定部材を締着するだけで矢板止金具を取り付けることができ、多数の山留め型枠固定部材を短時間でソイル壁に取り付けることができる。
【００１７】
また、山留め型枠固定部材を使用した型枠工事を効率よく行うことができ、建築工程の単略化、建築期間の短縮を図ることができる。
【考案を実施するための最良の形態】
【００１８】
以下、図面を参照しながら本考案の実施の形態について説明する。
図１は本考案で使用する山留め型枠固定部材の外観図である。山留め型枠固定部材１はタッピング螺子部２、セパレータ部３、セパ止金具取付部４で構成されている。タッピング螺子部２は後述するソイル壁に本例の山留め型枠固定部材１を取り付ける為の螺子部であり、例えば焼入れ加工されている。
【００１９】
また、セパレータ部３はコンクリートを型枠に打設する際の型枠間隔を確保する機能を有する。さらに、セパ止金具取付部４は型枠に本例の山留め型枠固定部材１を取り付けた後、型枠を締め込むセパ止金具を取り付け部材である。
【００２０】
図２は、上記構成の山留め型枠固定部材１を本例の型枠工事に使用する例を説明する図である。同図に示すように本例の型枠工事では、型枠の一方がソイル壁６であり、７はこのソイル壁に配置されたＨ型鋼である。ソイル壁６には予め一定間隔に孔６ａ、６ｂ、６ｃ、６ｄ、・・・が形成されている。この孔の形成は、例えばドリルを使用して行われ、後述する長さの孔が形成されている。尚、同図において、番号８は側土である。
【００２１】
図３は、更に型枠パネルを設置した状態を示す図である。番号１０は型枠パネルであり、ソイル壁６と型枠パネル１０間に本例の山留め型枠固定部材１が配設される。また、この山留め型枠固定部材１は、縦横に一定間隔幅で取り付けられ、この型枠にコンクリート（所謂生コン）が流し込まれる。
【００２２】
次に、本例の山留め型枠固定部材１を使用した型枠設置方法について図４を使用して説明する。先ず、側土８に沿ってソイルを打設する。このソイルは、土とセメントを一定の割合で混ぜ合わせ、水で捏成したものである。具体的には側土８に沿って、側土８とＨ型鋼７の間にソイルを流し込み、ショベル等によって壁面を平らに削り、ソイル壁６を形成する。
【００２３】
このようにして形成したソイル壁６は側土８からの流水を阻止し、施工領域への水の浸入を防止する。このソイル壁６の壁面に、同図に示す縦横一定間隔の孔６ａ、６ｂ、６ｃ、６ｄ、・・・を形成する。尚、孔の深さは、例えば２０ｃｍ程度であり、内径はタッピング螺子部２の溝部の径と同じである。
【００２４】
次に、図５に示すように、本例の山留め型枠固定部材１をソイル壁６の壁面の孔６ａ、６ｂ、６ｃ、６ｄ、・・・に取り付ける。この取り付けは、山留め型枠固定部材１のタッピング螺子部２を壁面の上記孔にねじ込むものであり、ソイル壁６に対して縦横一定間隔を保持して山留め型枠固定部材１が取り付けられる。
【００２５】
次に、同図に示すように他方の型枠パネル７を山留め型枠固定部材１のセパレータ部３に当て、セパ止金具１１によって取り付ける。この時、張り糸によって型枠間に一定の間隔が形成されるようにセパ止金具を締着する。このようにして本例の山留め型枠固定部材１を使用した型枠が完成した後、コンクリートを型枠内に打設する。
【００２６】
その後、一定期間（例えば、１０日程度）をおいてコンクリートが固まると、型枠パネル１０を外し、セパレータ部３を山留め型枠固定部材１から取り外す。
以上のように、本例によればソイル壁にコンクリート打設を行う際、本例の山留め型枠固定部材１を使用し、極めて容易に作業を行うことができる。すなわち、従来の矢板止金具を使用する場合には、多くのタッピング螺子を使用して木製矢板に矢板止金具を取り付けなければならず、大変な労力が必要であったが、本例によれば予め孔が形成されたソイル壁にタッピング螺子部２を締着するだけでよく、極めて簡単に山留め型枠固定部材１を取り付けることができる。したがって、コンクリート打設を効率よく行え、作業工程の単略化、工期の短縮を図ることができる。
【００２７】
また、本例によれば、ソイル壁を使用した型枠工事を行うものであり、出水の心配のある場所においても容易に工事を行うことができる。
【００２８】
尚、本例の説明ではタッピング螺子部２を有する山留め型枠固定部材１を使用する例で説明したが、タッピング螺子部に代えて棒材とし、該棒材をソイル壁に形成した孔に圧入する構成としてもよい。
【００２９】
また、棒材をソイル壁に形成した孔に接着する構成としてもよい。この場合、上記圧入と組み合わせて使用してもよく、また前述の締着と組み合わせて使用してもよい。
【図面の簡単な説明】
【００３０】
【図１】本考案で使用する山留め型枠固定部材の外観図である。
【図２】山留め型枠固定部材を本例の型枠工事に使用する例を説明する図である。
【図３】山留め型枠固定部材を使用した型枠設置方法を説明する図である。
【図４】山留め型枠固定部材を使用した型枠設置方法を説明する図である。
【図５】山留め型枠固定部材を使用した型枠設置方法を説明する図である。
【図６】従来のコンクリート打設のための型枠施工の例を示す図である。
【図７】従来の矢板止金具の斜視図である。
【符号の説明】
【００３１】
１・・・山留め型枠固定部材
２・・・タッピング螺子部
３・・・セパレータ部
４・・・セパ止金具取付部
６・・・ソイル壁
７・・・Ｈ型鋼
８・・・側土
１０・・型枠パネル
１１・・セパ止金具
【図１】
0003129496.tif 000003
【図２】
0003129496.tif 000004
【図３】
0003129496.tif 000005
【図４】
0003129496.tif 000006
【図５】
0003129496.tif 000007
【図６】
0003129496.tif 000008
【図７】
0003129496.tif 000009